(57)【要約】【課題】蒸気発生装置と電装品とを、電装品室内あるいは近接して配置しても、電装品のショートを防止できて、小型化と信頼性とを両立できる加熱調理器を提供する。【解決手段】蒸気発生装置１３およびワイヤハーネス５０は、電装品室９内に配置され、ワイヤハーネス５０の中途部は、ワイヤハーネス５０の両端部よりも、低い位置にある。【選択図】図６
2011085310.tif 000002
【特許請求の範囲】
【請求項１】
被調理物を収容する加熱室と、電装品を収容する電装品室とを有するケーシングと、
上記電装品室内、あるいは、上記電装品室に近接して配置されると共に、水を加熱して上記加熱室に供給する蒸気を発生させる蒸気発生装置と、
上記電装品室内に配置されると共に、上記電装品に接続される端部を有するワイヤハーネスと
を備え、
上記ワイヤハーネスの中途部は、上記ワイヤハーネスの両端部よりも、低い位置にあることを特徴とする加熱調理器。
【請求項２】
請求項１に記載の加熱調理器において、
上記ワイヤハーネスの中途部を上記ケーシングの底部に固定する固定部材を有することを特徴とする加熱調理器。
【請求項３】
請求項２に記載の加熱調理器において、
上記ケーシングの底部には、畝部が設けられ、
上記固定部材は、上記畝部の頂部よりも下側の位置で、上記ケーシングの底部に取り付けられていることを特徴とする加熱調理器。
【請求項４】
請求項１から３の何れか一つに記載の加熱調理器において、
上記加熱室内からの排気を、上記電装品室を通って上記ケーシングの前面側に案内する排気通路と、
上記ケーシングの前面側に設けられ、上記排気通路の排気口からの排気を受けて、この排気を上記ケーシングの外側に拡散させる排気受け部と、
上記ケーシングの前面側で上記電装品室内に配置された排気ダクトと、
上記電装品室の上記電装品を冷却する冷却ファンと
を有し、
上記排気ダクトは、上記冷却ファンからの冷却風の一部が吹き込む吹込口が上流側に設けられ、上記吹込口から吹き込んだ上記冷却風を排出する排出口が下流側に設けられ、上記吹込口と上記排出口との間の風経路に上記排気通路の排気口が配置されており、
上記排気通路の排気口からの排気を上記排気ダクトの上記排出口を介して上記排気受け部で受けることを特徴とする加熱調理器。
【発明の詳細な説明】
【技術分野】
【０００１】
この発明は、加熱調理器に関する。
【背景技術】
【０００２】
従来、加熱調理器としては、蒸気を用いて加熱調理を行うものがある（例えば、特開２００８−１１６０９４号公報（特許文献１）参照）。
【０００３】
上記従来の加熱調理器では、通常、蒸気を発生させる蒸気発生装置と、他の電装品とは、ケーシング内の異なる場所に配置していた。この理由として、蒸気発生装置から水や蒸気が漏れ出て、水や蒸気が、電装品に接続されるワイヤハーネスに付着した場合、水や蒸気の凝縮水は、ワイヤハーネスを伝って、電装品に流れ込んで、電装品がショートする問題があった。
【０００４】
このため、上記従来の加熱調理器では、蒸気発生装置と電装品との両方を、電装品室内あるいは近接して配置することができず、小型化を図ることができなかった。
【先行技術文献】
【特許文献】
【０００５】
【特許文献１】特開２００８−１１６０９４号公報
【発明の概要】
【発明が解決しようとする課題】
【０００６】
そこで、この発明の課題は、蒸気発生装置と電装品とを、電装品室内あるいは近接して配置しても、電装品のショートを防止できて、小型化と信頼性とを両立できる加熱調理器を提供することにある。
【課題を解決するための手段】
【０００７】
上記課題を解決するため、この発明の加熱調理器は、
被調理物を収容する加熱室と、電装品を収容する電装品室とを有するケーシングと、
上記電装品室内、あるいは、上記電装品室に近接して配置されると共に、水を加熱して上記加熱室に供給する蒸気を発生させる蒸気発生装置と、
上記電装品室内に配置されると共に、上記電装品に接続される端部を有するワイヤハーネスと
を備え、
上記ワイヤハーネスの中途部は、上記ワイヤハーネスの両端部よりも、低い位置にあることを特徴としている。
【０００８】
この発明の加熱調理器によれば、上記蒸気発生装置および上記ワイヤハーネスは、上記電装品室内、あるいは、上記電装品室に近接して配置され、上記ワイヤハーネスの中途部は、上記ワイヤハーネスの両端部よりも、低い位置にあるので、蒸気発生装置から水や蒸気が漏れ出て、水や蒸気がワイヤハーネスに付着した場合、水や蒸気の凝縮水は、ワイヤハーネスを伝って、ワイヤハーネスの両端部でなくワイヤハーネスの中途部に流れ込む。このように、ワイヤハーネスに付着した水は、ワイヤハーネスの端部に接続される電装品に流れ込むことがなく、電装品のショートを防止できる。
【０００９】
したがって、蒸気発生装置と電装品とを、電装品室内あるいは近接して配置しても、電装品のショートを防止できて、小型化と信頼性とを両立できる加熱調理器を実現できる。
【００１０】
また、一実施形態の加熱調理器では、上記ワイヤハーネスの中途部を上記ケーシングの底部に固定する固定部材を有する。
【００１１】
この実施形態の加熱調理器によれば、上記ワイヤハーネスの中途部を上記ケーシングの底部に固定する固定部材を有するので、ワイヤハーネスに付着した水は、ワイヤハーネスの中途部を介して、ケーシングの底部に導かれる。したがって、ワイヤハーネスの中途部に水を滞留させないので、ワイヤハーネスの中途部に滞留した水の飛散を防止し、飛散した水による電装品のショートを防止できる。
【００１２】
また、一実施形態の加熱調理器では、
上記ケーシングの底部には、畝部が設けられ、
上記固定部材は、上記畝部の頂部よりも下側の位置で、上記ケーシングの底部に取り付けられている。
【００１３】
この実施形態の加熱調理器によれば、上記ケーシングの底部には、畝部が設けられ、上記固定部材は、上記畝部の頂部よりも下側の位置で、上記ケーシングの底部に取り付けられているので、ケーシングの底部に導いた水は、畝部を越えて移動しない。したがって、ケーシングの底部に導いた水による電装品のショートを防止できる。
【００１４】
また、一実施形態の加熱調理器では、
上記加熱室内からの排気を、上記電装品室を通って上記ケーシングの前面側に案内する排気通路と、
上記ケーシングの前面側に設けられ、上記排気通路の排気口からの排気を受けて、この排気を上記ケーシングの外側に拡散させる排気受け部と、
上記ケーシングの前面側で上記電装品室内に配置された排気ダクトと、
上記電装品室の上記電装品を冷却する冷却ファンと
を有し、
上記排気ダクトは、上記冷却ファンからの冷却風の一部が吹き込む吹込口が上流側に設けられ、上記吹込口から吹き込んだ上記冷却風を排出する排出口が下流側に設けられ、上記吹込口と上記排出口との間の風経路に上記排気通路の排気口が配置されており、
上記排気通路の排気口からの排気を上記排気ダクトの上記排出口を介して上記排気受け部で受ける。
【００１５】
この実施形態の加熱調理器によれば、上記排気通路と上記排気受け部と上記排気ダクトと上記冷却ファンとを有するので、排気ダクトの上流側に設けられた吹込口に、電装品を冷却する冷却ファンからの冷却風の一部が吹き込む。そして、排気ダクトの吹込口から吹き込んだ冷却風は、排気ダクトの下流側に設けられた排出口から排出される。このとき、排気ダクト内の吹込口と排出口との間の風経路に配置された排気通路の排気口からの排気が、排気ダクト内に流入して冷却風と混合され、冷却風との混合により希釈された排気が、排気ダクトの排出口から排出される。
【００１６】
このように、電装品を冷却する冷却ファンからの冷却風を利用して、排気を希釈することにより排気温度を下げることができると共に、エジェクタ効果によって排気ダクトを介した排気流がスムーズになって加熱室内からの排気を効率よく排出できる。
【００１７】
また、冷却ファンの風によって、ワイヤハーネスに付着した水を早く蒸発させることができ、電装品室での水の滞留を防止する。
【発明の効果】
【００１８】
この発明の加熱調理器によれば、上記蒸気発生装置は、上記電装品室内、あるいは、上記電装品室に近接して配置され、上記ワイヤハーネスは、上記電装品室内に配置され、上記ワイヤハーネスの中途部は、上記ワイヤハーネスの両端部よりも、低い位置にあるので、蒸気発生装置と電装品とを、電装品室内あるいは近接して配置しても、電装品のショートを防止できて、小型化と信頼性とを両立できる。
【図面の簡単な説明】
【００１９】
【図１】本発明の加熱調理器の一実施形態を示す正面図である。
【図２Ａ】ケーシングの天部および両側部が取り外された加熱調理器を前方の斜め上方から見た斜視図である。
【図２Ｂ】把手付きドアが開いた状態の加熱調理器の斜視図である。
【図３】加熱調理器を後方の斜め上方から見た斜視図である。
【図４】加熱調理器を側方から見た側面図である。
【図５】加熱調理器を側方から見た拡大断面図である。
【図６】加熱調理器を側方から見た拡大図である。
【図７】加熱調理器を側方の斜め上方から見た拡大図である。
【図８】加熱調理器の要部の拡大図である。
【発明を実施するための形態】
【００２０】
以下、この発明を図示の実施の形態により詳細に説明する。
【００２１】
図１は、この発明の加熱調理器の一実施形態である正面図を示している。図１に示すように、上記加熱調理器は、ケーシング１と、このケーシング１の前面側に取り付けられたスライド開閉式の把手付きドア２とを備えている。
【００２２】
上記ケーシング１の前面側には、閉鎖時の把手付きドア２と隣り合うように操作パネル３を設けている。把手付きドア２と操作パネル３の下方には、排気受け部の一例としての露受容器４を配置している。
【００２３】
上記操作パネル３に、略円筒形状のダイヤル５を回転自在に取り付けている。また、操作パネル３は、液晶表示部７を有し、この液晶表示部７がダイヤル５の操作に応じた表示を行う。
【００２４】
上記露受容器４は、ケーシング１の底部の前側に設けられた２つの前脚６，６に着脱可能な容器である。そして、露受容器４を前方から後方に向かってケーシング１の下側に挿入して前脚６，６に取り付けると、露受容器４の一部が閉鎖時の把手付きドア２の後面（裏面）の下方に位置する。これにより、把手付きドア２を開放したとき、把手付きドア２の後面に付着した結露水が露受容器４内に滴下するようにしている。
【００２５】
図２Ａは、上記ケーシング１の天部および両側部が取り外された加熱調理器を前方の斜め上方から見た斜視図を示し、図２Ｂは、把手付きドアが開いた状態の加熱調理器の斜視図を示している。また、図３は、図２Ａの加熱調理器を後方の斜め上方から見た斜視図を示している。
【００２６】
図２Ａ、図２Ｂおよび図３に示すように、上記ケーシング１内には、被調理物を収容して加熱する加熱室８を設置している。また、ケーシング１内において、加熱室８の側方かつ操作パネル３の後方に電装品室９を設け、加熱室８の後方かつ電装品室９の後方に吸気空間１０を設けている。電装品室９と吸気空間１０とは、間仕切壁２１により、仕切られている。この間仕切壁２１に冷却ファン１６が取り付けられている。
【００２７】
上記加熱室８は、開口部８ａを前面側に有し、把手付きドア２は、一対のレールユニット３１により前後にスライドして、開口部８ａを開閉する。このレールユニット３１は、把手付きドア２に一端が固定された可動レールと、ケーシング１側に固定され、可動レールをスライド自在に支持する固定レールとを有する。
【００２８】
また、上記把手付きドア２と共にトレイ３２が引き出される。この把手付きドア２の開閉によって、トレイ３２上に載置された被調理物を、加熱室８内から取り出したり、加熱室８内に入れたりする。
【００２９】
また、上記加熱室８の上方、下方、後方および両側方のそれぞれには、遮熱板１１を配置している。つまり、遮熱板１１は、加熱室８の開口部８ａを除く周囲に配置されている。また、遮熱板１１と加熱室８との間の空間に断熱材（図示せず）を充填している。
【００３０】
上記電装品室９内には、加熱室８へ供給される蒸気を発生させる蒸気発生装置１３と、この蒸気発生装置１３に給水チューブ２０を介して接続された電装品の一例としての給水ポンプ１４と、この給水ポンプ１４の前方に配置されたタンク収納部１５とを収容している。そして、被調理物の加熱時には、冷却ファン１６からの冷却風が電装品室９内を流れ、給水ポンプ１４などの電装品を冷却できるようにしている。
【００３１】
上記吸気空間１０には、冷却ファン１６の駆動に伴い、ケーシング１の外側の空気が、４つの吸気口１７から流れ込む。そして、吸気空間１０内の空気は、冷却ファン１６で電装品室９内に送られる。なお、各吸気口１７はケーシング１の後部に設けられた複数のスリットで構成されている。
【００３２】
上記加熱室８の後部に設けられた排気口に、加熱室８の後部の上側に設置された触媒ユニット（図示せず）を介して排気チューブ１８の上流端を接続している。排気チューブ１８の下流端（排気口）を、タンク収納部１５の側方に配置された合成樹脂製の排気ダクト１９に接続している。この排気チューブ１８は、可撓性を有する合成樹脂からなり、電装品室９の後面側上部から前面側下部に渡って設置されている。
【００３３】
そして、上記加熱室８内の気体は、排気チューブ１８と排気ダクト１９によって、ケーシング１の後部から前面側に案内されて、ケーシング１の外側に排出される。
【００３４】
上記加熱室８の上側には、上ヒータ収納部２５が配置され、この上ヒータ収納部２５内に上ヒータ２６を配置している。この上ヒータ収納部２５と上ヒータ２６で蒸気昇温装置を構成している。また、加熱室８の下側に下ヒータ収納部（図示せず）が配置され、その下ヒータ収納部内に下ヒータ（図示せず）を配置している。
【００３５】
図４は、図２Ａの加熱調理器を側方から見た側面図を示している。図４に示すように、上記タンク収納部１５は、給水タンク２３を収納している。この給水タンク２３は、把手付きドア２を開放すると前面が露出し、タンク収納部１５に出し入れ可能となる。また、給水タンク２３内の水は、給水ポンプ１４の駆動により、給水チューブ２０を介して蒸気発生装置１３に供給される。蒸気発生装置１３は、給水ポンプ１４からの水を蒸気発生用ヒータ２４で加熱して、水蒸気を発生させる。
【００３６】
図５は、上記加熱調理器を側方から見た拡大断面図を示している。図５に示すように、排気ダクト１９の前側の底部に排出口２２を設けている。この排出口２２は、ケーシング１の底部を貫通して露受容器４に対向している。また、排気ダクト１９内に、排気チューブ１８の下流端が接続されたノズル部６１が入っており、ノズル部６１の先端の開口６１ａが排出口２２側に向いている。上記排気チューブ１８とノズル部６１で排気通路を構成している。
【００３７】
上記排気通路は、加熱室８内からの排気を、電装品室９を通ってケーシング１の前面側に案内する。上記露受容器４は、ケーシング１の前面側に設けられ、排気通路の排気口からの排気を受けて、この排気をケーシング１の外側に拡散させる。
【００３８】
上記排気ダクト１９は、ケーシング１の前面側で電装品室９内に配置される。排気ダクト１９は、冷却ファン１６からの冷却風の一部が吹き込む吹込口６０が上流側に設けられ、吹込口６０から吹き込んだ冷却風を排出する排出口２２が下流側に設けられ、吹込口６０と排出口２２との間の風経路に、排気通路の排気口（ノズル部６１の開口６１ａ）が配置されている。排気通路の排気口からの排気を排気ダクト１９の排出口２２を介して露受容器４で受ける。
【００３９】
図６は、上記加熱調理器を側方から見た拡大図を示している。図６に示すように、上記電装品室９内に、ワイヤハーネス５０が配置されている。なお、図２Ａ、図２Ｂ、図３および図４では、ワイヤハーネス５０を省略して描いている。ワイヤハーネス５０は、複数の配線５０ａをバンド５２で束ねて構成される。
【００４０】
ワイヤハーネス５０は、（給水ポンプ１４等の）電装品および蒸気発生装置１３（蒸気発生用ヒータ２４）と、ケーシング１の外側に設けられた電源コード５１とを接続する。つまり、ワイヤハーネス５０の一端部は、電装品および蒸気発生装置１３に接続され、ワイヤハーネス５０の他端部は、電源コード５１に接続される。
【００４１】
図７は、上記加熱調理器を側方の斜め上方から見た拡大図を示している。図７に示すように、上記ワイヤハーネス５０の中途部は、ワイヤハーネス５０の両端部よりも、低い位置にある。ワイヤハーネス５０の中途部は、固定部材５５によって、ケーシング１の底部１ａに固定される。
【００４２】
上記ケーシング１の底部１ａには、畝部５６が設けられ、固定部材５５は、畝部５６の頂部よりも下側の位置で、ケーシング１の底部１ａに取り付けられている。畝部５６は、固定部材５５が取り付けられる第１の領域Ｚ１と、電源コード５１が取り付けられる第２の領域Ｚ２とを仕切る。第１の領域Ｚ１と第２の領域Ｚ２とは、ケーシング１の底部１ａを凹まして形成される。
【００４３】
図８は、上記加熱調理器の要部の拡大図を示している。図８に示すように、上記固定部材５５は、本体部５５ａと、この本体部５５ａの一端に取り付けられたバンド部５５ｂとを有する。バンド部５５ｂは、ワイヤハーネス５０を締め付ける。本体部５５ａの他端は、ケーシング１の底部１ａに設けられた孔部５７に圧入されて取り付けられる。
【００４４】
上記構成の加熱調理器の作用について説明する。図２Ｂに示すように、把手付きドア２を引き出した状態で、必要量の水を入れた給水タンク２３を、タンク収納部１５に収納した後、操作パネル３を操作して蒸気を用いた加熱調理を開始する。
【００４５】
そうすると、加熱室８の上下に配置された上ヒータ２６と下ヒータをオンにすると共に、給水ポンプ１４を駆動して、給水タンク２３内の水を蒸気発生装置１３に供給し、蒸気発生装置１３に供給された水を蒸気発生用ヒータ２４で加熱して、水蒸気を発生させる。
【００４６】
そして、蒸気発生装置１３で発生した水蒸気が加熱室８の上側の上ヒータ収納部２５内に吹き出し、上ヒータ２６により加熱されて１００℃以上の過熱水蒸気となる。この過熱水蒸気は、加熱室８の天井面の図示しない上カバーに設けられた複数の穴を通って加熱室８内に供給される。
【００４７】
これにより、加熱室８内のトレイ３２上に載置された食品は、加熱室８の天井面側の上カバーからの輻射熱と底側の下カバーからの輻射熱、および、上カバーの複数の穴から吹き出した１００℃以上の過熱水蒸気により、加熱調理される。このとき、食品表面に供給されて付着した過熱水蒸気が食品表面で凝縮して大量の凝縮潜熱を食品に与えるので、食品に熱を効率よく伝えることができる。
【００４８】
この加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して無酸素状態となることにより、食品の酸化を抑制した調理が可能となる。
【００４９】
なお、この加熱調理器では、蒸気を用いずに上ヒータ２６と下ヒータのみを用いたオーブン調理を行ってもよいし、上ヒータ２６と下ヒータを用いずに蒸気発生装置１３で発生した水蒸気のみを用いた蒸し料理などを行ってもよい。
【００５０】
そして、図５に示すように、排気ダクト１９の上流側に設けられた吹込口６０に、電装品を冷却する冷却ファン１６からの冷却風の一部が吹き込む。そして、排気ダクト１９の吹込口６０から吹き込んだ冷却風は、排気ダクト１９の下流側に設けられた排出口２２から排出される。このとき、排気ダクト１９内の吹込口６０と排出口２２との間の風経路に配置されたノズル部６１の開口６１ａから排気ダクト１９内に排気が流入して冷却風と混合され、冷却風との混合により希釈された排気が、排気ダクト１９の排出口２２から排出される。
【００５１】
このように、電装品を冷却する冷却ファン１６からの冷却風を利用して、排気を希釈することにより排気温度を下げることができると共に、排気ダクト１９を介した排気流がスムーズになって加熱室８内からの排気を効率よく排出できる。
【００５２】
上記構成の加熱調理器によれば、上記蒸気発生装置１３および上記ワイヤハーネス５０は、上記電装品室９内に配置され、上記ワイヤハーネス５０の中途部は、上記ワイヤハーネス５０の両端部よりも、低い位置にあるので、蒸気発生装置１３から水や蒸気が漏れ出て、水や蒸気がワイヤハーネス５０に付着した場合、水や蒸気の凝縮水は、ワイヤハーネス５０を伝って、ワイヤハーネス５０の両端部でなくワイヤハーネス５０の中途部に流れ込む。このように、ワイヤハーネス５０に付着した水は、ワイヤハーネス５０の端部に接続される電装品および蒸気発生装置１３に流れ込むことがなく、電装品および蒸気発生装置１３のショートを防止できる。
【００５３】
また、冷却ファン１６が停止して、ノズル部６１の開口６１ａから排出される蒸気が、排気ダクト１９の吹込口６０から、電装品室９内に漏れ出て、水や蒸気がワイヤハーネス５０に付着した場合でも、ワイヤハーネス５０に付着した水は、ワイヤハーネス５０の端部に接続される電装品および蒸気発生装置１３に流れ込むことがない。
【００５４】
したがって、蒸気発生装置１３と電装品とを同一の電装品室９内に配置しても、電装品および蒸気発生装置１３のショートを防止できて、小型化と信頼性とを両立できる加熱調理器を実現できる。
【００５５】
また、上記ワイヤハーネス５０の中途部を上記ケーシング１の底部１ａに固定する固定部材５５を有するので、ワイヤハーネス５０に付着した水は、ワイヤハーネス５０の中途部を介して、ケーシング１の底部１ａに導かれる。したがって、ワイヤハーネス５０の中途部に水を滞留させないので、冷却ファン１６によるワイヤハーネス５０の中途部に滞留した水の飛散を防止し、飛散した水による電装品および蒸気発生装置１３のショートを防止できる。
【００５６】
また、上記ケーシング１の底部１ａには、畝部５６が設けられ、上記固定部材５５は、上記畝部５６の頂部よりも下側の位置で、上記ケーシング１の底部１ａに取り付けられているので、ケーシング１の底部１ａに導いた水は、畝部５６を越えて移動しない。したがって、ケーシング１の底部１ａに導いた水による電装品および蒸気発生装置１３のショートを防止できる。
【００５７】
また、冷却ファン１６の風によって、ワイヤハーネス５０に付着した水を早く蒸発させることができ、電装品室９での水の滞留を防止する。
【００５８】
なお、この発明は上述の実施形態に限定されない。例えば、固定部材５５の構成は、フック形状などの他の構成であってもよく、また、固定部剤を、ケーシング１の底部１ａに連続して一体に形成してもよい。
【００５９】
また、蒸気発生装置１３を、電装品室９内でなく、電装品室９に近接して配置してもよく、電装品のショートを防止できて、小型化と信頼性とを両立できる。ここで、「蒸気発生装置１３が電装品室９に近接する」とは、蒸気発生装置１３から漏れ出る水や蒸気が電装品室９内に進入する可能性がある程度に、蒸気発生装置１３が電装品室９に近接することをいう。
【００６０】
また、上記実施形態では、ケーシング１に対して前後方向にスライドする把手付きドア２で加熱室８の開口部８ａを開閉していたが、例えば、回動式の開閉扉で加熱室の開口部を開閉するようにしてもよい。すなわち、この発明の加熱調理器が備える開閉扉は、スライド式であってもよいし、回動式であってもよい。
【符号の説明】
【００６１】
１  ケーシング
１ａ  底部
２  把手付きドア
４  露受容器（排気受け部）
８  加熱室
９  電装品室
１０  吸気空間
１３  蒸気発生装置
１４  給水ポンプ（電装品）
１５  タンク収納部
１６  冷却ファン
１８  排気チューブ（排気通路）
１９  排気ダクト
２２  排出口
２３  給水タンク
２４  蒸気発生用ヒータ
５０  ワイヤハーネス
５５  固定部材
５６  畝部
６０  吸込口
６１  ノズル部（排気通路）
６１ａ  開口
【図１】
2011085310.tif 000003
【図２Ａ】
2011085310.tif 000004
【図２Ｂ】
2011085310.tif 000005
【図３】
2011085310.tif 000006
【図４】
2011085310.tif 000007
【図５】
2011085310.tif 000008
【図６】
2011085310.tif 000009
【図７】
2011085310.tif 000010
【図８】
2011085310.tif 000011